(57)【要約】【課題】  間連サイトがリンク付けされたコンテンツ紹介画面を容易に作成することができる。【解決手段】  Ｓ１で、コンテンツ情報入力画面が表示され、Ｓ２で、コンテンツ情報の入力が完了したとき、Ｓ３で、コンテンツ情報からリンク要素が抽出される。Ｓ４で、リンク要素の中の１つが選択され、Ｓ５乃至Ｓ８で、リンク要素に関連するサイトが検索される。Ｓ９で、入力されたコンテンツ情報に、検索されたサイトのリンクが貼られたコンテンツ紹介画面が生成されて表示される。Ｓ１０で、コンテンツ紹介画面を生成する際に利用された、コンテンツ情報やＵＲＬ等が組み込まれたメタデータが記憶される。【選択図】図４
2005346169.tif 000002
【特許請求の範囲】
【請求項１】
所定のコンテンツに関するコンテンツ情報が表示されるコンテンツ紹介画面を端末に提供する情報処理装置において、
前記コンテンツ情報を入力するコンテンツ情報入力画面を生成する第１の生成手段と、
前記コンテンツ情報入力画面を介して、前記コンテンツ情報を入力する入力手段と、
前記入力手段により入力された前記コンテンツ情報から、リンク要素を抽出する抽出手段と、
前記抽出手段により抽出された前記リンク要素に関連するリンク先を取得する取得手段と、
前記取得手段によりリンク先が取得された前記リンク要素にリンクを貼って、前記コンテンツ紹介画面を生成する第２の生成手段と
を備えることを特徴とする情報処理装置。
【請求項２】
所定のリンク要素のリンク先を記憶する記憶手段をさらに備え、
前記取得手段は、前記記憶手段からリンク先を取得する
ことを特徴とする請求項１に記載の情報処理装置。
【請求項３】
前記取得手段は、リンク先を外部の検索サイトを利用して取得する
ことを特徴とする請求項１に記載の情報処理装置。
【請求項４】
前記入力手段により入力された前記コンテンツ情報と、前記取得手段により取得された前記リンク先をメタデータとして記憶する記憶手段をさらに備え、
前記第１の生成手段は、前記記憶手段に記憶された前記メタデータを利用して、所定のコンテンツ情報がすでに入力された前記コンテンツ情報入力画面を生成する
ことを特徴とする請求項１に記載の情報処理装置。
【請求項５】
他の情報処理装置により生成された前記メタデータを取得するメタデータ取得手段をさらに備え、
前記第１の生成手段は、前記メタデータ取得手段に取得された前記メタデータを利用して、所定のコンテンツ情報がすでに入力された前記コンテンツ情報入力画面を生成する
ことを特徴とする請求項１に記載の情報処理装置。
【請求項６】
所定のコンテンツに関するコンテンツ情報が表示されるコンテンツ紹介画面を端末に提供する情報処理方法において、
前記コンテンツ情報を入力するコンテンツ情報入力画面を生成する第１の生成ステップと、
前記コンテンツ情報入力画面を介して、前記コンテンツ情報を入力する入力ステップと、
前記入力ステップの処理で入力された前記コンテンツ情報から、リンク要素を抽出する抽出ステップと、
前記抽出ステップの処理で抽出された前記リンク要素に関連するリンク先を取得する取得ステップと、
前記取得ステップの処理でリンク先が取得された前記リンク要素にリンクを貼って、前記コンテンツ紹介画面を生成する第２の生成ステップと
を含むことを特徴とする情報処理方法。
【請求項７】
所定のコンテンツに関するコンテンツ情報が表示されるコンテンツ紹介画面を端末に提供するプログラムであって、
前記コンテンツ情報を入力するコンテンツ情報入力画面を生成する第１の生成ステップと、
前記コンテンツ情報入力画面を介して、前記コンテンツ情報を入力する入力ステップと、
前記入力ステップの処理で入力された前記コンテンツ情報から、リンク要素を抽出する抽出ステップと、
前記抽出ステップの処理で抽出された前記リンク要素に関連するリンク先を取得する取得ステップと、
前記取得ステップの処理でリンク先が取得された前記リンク要素にリンクを貼って、前記コンテンツ紹介画面を生成する第２の生成ステップと
を含む処理をコンピュータに実行させることを特徴とするプログラム。
【発明の詳細な説明】
【技術分野】
【０００１】
本発明は、情報処理装置および方法、並びにプログラムに関し、コンテンツの情報を効果的に提供することができる情報処理装置および方法、並びにプログラムに関するものである。
【背景技術】
【０００２】
伝送媒体を介して提供されるコンテンツに関する情報を、インターネット等のネットワークを介して紹介するサービスが存在する。テレビジョン放送される番組の番組表を提供するサービスは、その代表例である。
【０００３】
このサービスでは、インターネットを介して、放送される番組の放送時間帯、放送局名、出演者名、番組内容等が提供される。ユーザは、提供されるこれらの情報を参照して、視聴する番組を決定することができる。
【０００４】
Ｆ
ところでユーザは、この番組表は、インターネット上に公開されていることから、その利用中に、特に興味ある情報（例えば、出演者）について、検索サイトを利用してその情報に関連するホームページを検索することがある（特許文献１）。このときユーザは、別途検索サイトにアクセスし、出演者名等をキーワードとして、出演者等のホームページを検索する必要がある。
【０００５】
【特許文献１】特開２００２−３２４１３号公報
【発明の開示】
【発明が解決しようとする課題】
【０００６】
例えば番組表に、出演者等のホームページを予めリンクさせて置けば、ユーザは容易に所望のホームページを検索することができるが、従来において、番組表に、出演者等のホームページをリンクさせる具体的な方法は、開示されていなかった。
【０００７】
本発明はこのような状況に鑑みてなされたものであり、コンテンツ紹介画面を生成する際に、効率よく、関連するホームページのリンクを作成することができるようにするものである。
【課題を解決するための手段】
【０００８】
本発明によれば、情報処理装置が提供される。この情報処理装置は、コンテンツ情報を入力するコンテンツ情報入力画面を生成する第１の生成手段と、コンテンツ情報入力画面を介して、コンテンツ情報を入力する入力手段と、入力手段により入力されたコンテンツ情報から、リンク要素を抽出する抽出手段と、抽出手段により抽出されたリンク要素に関連するリンク先を取得する取得手段と、取得手段によりリンク先が取得されたリンク要素にリンクを貼って、コンテンツ紹介画面を生成する第２の生成手段とを備えることを特徴とする。
【０００９】
所定のリンク要素のリンク先を記憶する記憶手段をさらに設け、取得手段には、記憶手段からリンク先を取得させることができる。
【００１０】
取得手段は、リンク先を外部の検索サイト（例えば、図１の検索サーバ３）を利用して取得することができる。
【００１１】
入力手段により入力されたコンテンツ情報と、取得手段により取得されたリンク先をメタデータとして記憶する記憶手段をさらに設け、第１の生成手段には、記憶手段に記憶されたメタデータを利用して、所定のコンテンツ情報がすでに入力されたコンテンツ情報入力画面を生成させることができる。
【００１２】
他の情報処理装置により生成されたメタデータを取得するメタデータ取得手段をさらに設け、第１の生成手段には、メタデータ取得手段に取得されたメタデータを利用して、所定のコンテンツ情報がすでに入力されたコンテンツ情報入力画面を生成させることができる。
【００１３】
本発明によれば、情報処理方法が提供される。この情報処理方法は、コンテンツ情報を入力するコンテンツ情報入力画面を生成する第１の生成ステップと、コンテンツ情報入力画面を介して、コンテンツ情報を入力する入力ステップと、入力ステップの処理で入力されたコンテンツ情報から、リンク要素を抽出する抽出ステップと、抽出ステップの処理で抽出されたリンク要素に関連するリンク先を取得する取得ステップと、取得ステップの処理でリンク先が取得されたリンク要素にリンクを貼って、コンテンツ紹介画面を生成する第２の生成ステップとを含むことを特徴とする。
【００１４】
本発明によれば、プログラムが提供される。このプログラムは、コンテンツ情報を入力するコンテンツ情報入力画面を生成する第１の生成ステップと、コンテンツ情報入力画面を介して、コンテンツ情報を入力する入力ステップと、入力ステップの処理で入力されたコンテンツ情報から、リンク要素を抽出する抽出ステップと、抽出ステップの処理で抽出されたリンク要素に関連するリンク先を取得する取得ステップと、取得ステップの処理でリンク先が取得されたリンク要素にリンクを貼って、コンテンツ紹介画面を生成する第２の生成ステップとを含む処理をコンピュータに実行させることを特徴とする。
【００１５】
本発明の情報処理装置および方法、並びにプログラムにおいては、コンテンツ情報を入力するコンテンツ情報入力画面が生成され、コンテンツ情報入力画面を介して、コンテンツ情報が入力され、入力ステップの処理で入力されたコンテンツ情報から、リンク要素が抽出され、抽出されたリンク要素に関連するリンク先が取得され、リンク先が取得されたリンク要素にリンクが貼られて、コンテンツ紹介画面が生成される。
【発明の効果】
【００１６】
本発明によれば、コンテンツ紹介画面を生成する際に、効率よく、関連するホームページのリンクを作成することができるようにするものである。
【発明を実施するための最良の形態】
【００１７】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１８】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００１９】
本発明によれば、情報処理装置（例えば、図１の端末１）が提供される。この情報処理装置は、コンテンツ情報を入力するコンテンツ情報入力画面を生成する第１の生成手段（例えば、図３のコンテンツ情報入力画面生成部５５）と、コンテンツ情報入力画面を介して、コンテンツ情報を入力する入力手段（例えば、図３のコンテンツ情報入力部５１）と、入力手段により入力されたコンテンツ情報から、リンク要素を抽出する抽出手段（例えば、図３の制御部５２）と、抽出手段により抽出されたリンク要素に関連するリンク先を取得する取得手段（例えば、図３の制御部５２）と、取得手段によりリンク先が取得されたリンク要素にリンクを貼って、コンテンツ紹介画面を生成する第２の生成手段（例えば、図３の制御部５２）とを備えることを特徴とする。
【００２０】
所定のリンク要素のリンク先を記憶する記憶手段（例えば、図３のリンク先データベース５３）をさらに設け、取得手段には、記憶手段からリンク先を取得させることができる。
【００２１】
取得手段は、リンク先を外部の検索サイトを利用して取得することができる。
【００２２】
入力手段により入力されたコンテンツ情報と、取得手段により取得されたリンク先をメタデータとして記憶する記憶手段（図３のメタデータ記憶部５６）をさらに設け、第１の生成手段には、記憶手段に記憶されたメタデータを利用して、所定のコンテンツ情報がすでに入力されたコンテンツ情報入力画面を生成させることができる。
【００２３】
他の情報処理装置により生成されたメタデータを取得するメタデータ取得手段（例えば、図３のメタデータ取得部５７）をさらに設け、第１の生成手段には、メタデータ取得手段に取得されたメタデータを利用して、所定のコンテンツ情報がすでに入力されたコンテンツ情報入力画面を生成させることができる。
【００２４】
本発明によれば、情報処理方法が提供される。この情報処理方法は、コンテンツ情報を入力するコンテンツ情報入力画面を生成する第１の生成ステップ（例えば、図４のステップＳ１）と、コンテンツ情報入力画面を介して、コンテンツ情報を入力する入力ステップ（例えば、図４のステップＳ２）と、入力ステップの処理で入力されたコンテンツ情報から、リンク要素を抽出する抽出ステップ（例えば、図４のステップＳ３）と、抽出ステップの処理で抽出されたリンク要素に関連するリンク先を取得する取得ステップ（例えば、図４のステップＳ４乃至ステップＳ８）と、取得ステップの処理でリンク先が取得されたリンク要素にリンクを貼って、コンテンツ紹介画面を生成する第２の生成ステップ（例えば、図４のステップＳ９）とを含むことを特徴とする。
【００２５】
図１は、本発明を適用した端末１の利用例を示す図である。
【００２６】
端末１は、例えばテレビジョン放送される番組を紹介するためのホームページをネットワーク２上に開設する。端末１は、後述するように、紹介する番組に関する情報（以下、コンテンツ情報と称する）を入力すると、所定のコンテンツ情報（例えば、番組を放送する放送局や出演者）に関連するサイトを検索し、検索したサイトのリンクが貼られたコンテンツ紹介画面からなるページを作成する。
【００２７】
検索サーバ３は、例えば端末１からの要求に応じて、放送局や出演者等に関連するサイトを検索し、その結果を、インターネット２を介して端末１に送信する。
【００２８】
端末４のユーザは、インターネット２を介して端末１の番組紹介用のページにアクセスすることができる。
【００２９】
図２は、端末１の構成例を示している。
【００３０】
CPU（Central  Processing  Unit）２１は、ROM（Read  Only  Memory）２２またはハードディスク２４からRAM（Random  Access  Memory）２３にロードされたプログラムに従って各種の処理を実行する。RAM２３にはまた、CPU２１が各種の処理を実行する上において必要なデータなども適宜記憶される。
【００３１】
CPU２１、ROM２２、およびRAM２３は、バス２５を介して相互に接続されている。このバス２５にはまた、入出力インタフェース２６も接続されている。
【００３２】
入出力インタフェース２６には、キーボード、マウスなどよりなる入力部２８、CRT(Cathode Ray Tube)、LCD(Liquid Crystal display)などよりなるディスプレイ、並びにスピーカなどよりなる表示部２７、モデム、ターミナルアダプタなどより構成される通信部２９が接続されている。通信部２９は、インターネット２を介しての通信処理を行う。
【００３３】
入出力インタフェース２６にはまた、必要に応じてドライブ３０が接続され、ドライブ３０には、本発明のプログラムが記録された記録媒体が装着され、それらから読み出されたコンピュータプログラムが、必要に応じてハードディスク２４にインストールされる。
【００３４】
記録媒体は、磁気ディスク４１、光ディスク４２、光磁気ディスク４３、或いは半導体メモリ４４などにより構成される。
【００３５】
図３は、端末１の機能的構成例を示している。
【００３６】
コンテンツ情報入力部５１（図２のＣＰＵ２１乃至ＲＡＭ２３、並びに表示部２７および入力部２８により実現される）は、コンテンツ紹介画面に表示される番組に関するコンテンツ情報（放送局名、放送開始時刻、終了時刻、出演者名、番組内容の説明等）を入力し、制御部５２に供給する。
【００３７】
制御部５２（図２のＣＰＵ２１乃至ＲＡＭ２３により実現される）は、各部を制御する。例えば制御部５２（リンク先取得部７１）は、コンテンツ情報入力部５１から入力されたコンテンツ情報から、関連するサイトが存在すると考えられるコンテンツ情報またはその中の言葉（以下、リンク要素と称する）を抽出する。例えば放送局名、出演者名がリンク要素として抽出される。
【００３８】
制御部５２（リンク先取得部７１）は、抽出したリンク要素に関連するサイトのＵＲＬを、リンク先データベース５３（図２のＣＰＵ２１乃至ハードディスク２４により実現される）から検出したり、ネットワークＩ／Ｆ部５４（図２の通信部２９により実現される）を介して、検索サーバ３と通信し、検索サーバ３に、リンク要素に関連するサイトを検索させる。リンク先データベース５３には、所定のリンク要素（放送局や出演者など）に関連するサイトのＵＲＬが予め格納されている。
【００３９】
制御部５２（コンテンツ紹介画面生成部７２）は、関連するサイトが検出されたコンテンツ情報にリンクを貼って、コンテンツ情報が表示されるコンテンツ紹介画面を生成する。制御部５２（コンテンツ紹介画面生成部７２）は、コンテンツ紹介画面生成の際に利用したコンテンツ情報やＵＲＬをメタデータとしてメタデータ記憶部５６（図２のハードディスク２４により実現される）に記憶する。
【００４０】
制御部５２（出力制御部７３）は、このように生成したコンテンツ紹介画面を組み込んだホームページを、ネットワークＩ／Ｆ部５４を介してインターネット２上に公開する。
【００４１】
コンテンツ情報入力画面生成部５５は、コンテンツ情報を入力するためのコンテンツ情報入力画面を制御部５２に供給する。詳細は後述するがコンテンツ情報入力画面生成部５５は、デフォルトのコンテンツ情報入力画面を制御部５２に供給する。またコンテンツ情報入力画面生成部５５は、制御部５２でコンテンツ紹介画面を生成にする際に利用されてメタデータ記憶部５６に記憶されたメタデータまたはメタデータ取得部５７（図２のＣＰＵ２１乃至ＲＡＭ２３により実現される）を介して取得された外部で作成されたメタデータを利用して、所定の情報がすでに入力されたコンテンツ情報入力画面を生成し制御部５２に供給する。
【００４２】
制御部５２（出力制御部７３）は、コンテンツ情報入力画面生成部５５より供給されたコンテンツ情報入力画面を、表示部５８（図２の表示部２７により実現される）に表示する。すなわちコンテンツ情報入力部５１は、表示されたコンテンツ情報入力画面に入力されたコンテンツ情報を取り込み制御部５２に供給する。
【００４３】
次に、端末１の、コンテンツ紹介画面生成処理を、図４のフローチャートを参照して説明する。
【００４４】
ステップＳ１において、制御部５２（出力制御部７３）は、コンテンツ情報入力画面生成部５５から供給されたコンテンツ情報入力画面を表示部５８に表示する。ここでの処理の詳細は、図１０のフローチャートを参照して後述する。
【００４５】
ここでは、図５に示すようなデフォルトのコンテンツ情報入力画面が表示部５８に表示されるものとする。
【００４６】
図５のコンテンツ情報入力画面には、紹介する番組の放送日、放送曜日、放送局名、放送開始時刻と終了時刻、番組のタイトルとＵＲＬ、番組の説明、出演者等の名前、番組に関するキーワードなどが入力される欄がそれぞれ設けられている。デフォルトの状態では、各欄には何のデータも入力されていない。
【００４７】
ステップＳ２において、制御部５２は、ステップＳ１で表示したコンテンツ情報入力画面に対するコンテンツ情報の入力が完了するまで待機し、コンテンツ情報の入力が完了したとき、ステップＳ３進む。
【００４８】
この例の場合、端末１のユーザが、図示せぬ操作部を操作して、図６に示すように、コンテンツ情報入力画面の各欄に所定のコンテンツ情報を入力した後、メタデータ生成ボタンＢ１を操作したとき、コンテンツ情報入力部５１は、コンテンツ情報入力画面に入力されたコンテンツ情報を読み取って、制御部５２に供給する。制御部５２は、コンテンツ情報入力部５１からコンテンツ情報が入力されたとき、コンテンツ情報の入力が完了したものと判定する。
【００４９】
ステップＳ３において、制御部５２（リンク先取得部７１）は、ステップＳ２で入力されたコンテンツ情報からリンク要素を抽出する。
【００５０】
例えば、コンテンツ情報として入力された放送局名、出演者名がリンク要素として抽出される。
【００５１】
ステップＳ４において、制御部５２（リンク先取得部７１）は、ステップＳ３で抽出したリンク要素の中の１つを選択し、ステップＳ５において、リンク先データベース５３からの、選択したリンク要素に関連するサイトのＵＲＬの検出を開始する。
【００５２】
ステップＳ６において、制御部５２（リンク先取得部７１）は、リンク先データベース５３から、リンク要素に関連するサイトのＵＲＬが検出されたか否かを判定し、検出されなかったと判定した場合、ステップＳ７に進み、ネットワークＩ／Ｆ部５４を介して、検索サーバ３にアクセスし、リンク要素に関連するサイトを検索させる。
【００５３】
ステップＳ６で、リンク先データベース５３からリンク要素に関連するサイトのＵＲＬが検出されたとき、またはステップＳ７で、検索サーバ３によりリンク要素に関連するサイトが検索されたとき、ステップＳ８に進む。
【００５４】
ステップＳ８において、制御部５２（リンク先取得部７１）は、ステップＳ３で抽出されたリンク要素のすべてをステップＳ４で選択したか否かを判定し、まだ残っているリンク要素が存在すると判定した場合、ステップＳ４に戻り、他のリンク要素を選択して、ステップＳ５以降の処理を実行する。
【００５５】
ステップＳ８で、すべてのリンク要素が選択されたと判定されたとき、ステップＳ９に進み、制御部５２（コンテンツ紹介画面生成部７２）は、例えば図７に示すような、検索されたサイトのＵＲＬがＨＴＭＬ（Hyper Text Markup Language）のリンクとして表示されるコンテンツ紹介画面を生成する。このように生成されたコンテンツ紹介画面は、端末１の番組紹介サイトのホームページ上に表示される。
【００５６】
図７の例では、アンダーラインが付されているコンテンツ情報（番組名としての“うたべん”、放送局名としての“ＴＡＳ  ６ｃｈ”、出演者名としての“宇木田  ひかり”、“ＳＮＡＢ”）には、検索されたサイトのリンクが貼られている。
【００５７】
図４に戻りステップＳ１０において、制御部５２（コンテンツ紹介画面生成部７２）は、コンテンツ紹介画面を生成する際に利用した、例えば図８に示すような、コンテンツ情報やＵＲＬ等が組み込まれたＸＭＬ（eXtensible Markup Language）のメタデータをメタデータ記憶部５６に記憶する。
【００５８】
以上のように、コンテンツ紹介画面を生成する際に、入力されたコンテンツ情報からリンク要素を抽出し、そのリンク要素に関連するサイトを検索するようにしたので、所定のコンテンツ情報にリンクが貼られたコンテンツ紹介画面を容易に生成することができる。
【００５９】
なお以上においては、ステップＳ６またはステップＳ７で検索されたサイトをそのまま利用するものとして説明したが、リンクを貼るにあたり、その妥当性を検証することができる。
【００６０】
具体的には、例えば、出演者（芸能人）や放送局のサイトには、“オフィシャル”や“Official”の言葉が含まれていることが多いので、制御部５２は、検索されたサイトの中の、サイト名に、“オフィシャル”や“Official”が含まれているものについてのみリンクを作成することができる。
【００６１】
このように検索されたサイトの妥当性を検証することにより、より関連性が高いサイトについてリンクを作成することができる。
【００６２】
またコンテンツ紹介画面は、パーソナルコンピュータ、ＣＥ機器用、携帯電話機の他、所定のテレビ番組に特化したものとすることができる。
【００６３】
またコンテンツ紹介画面を、図９に示すようにフェブログ画面として表示し、番組の感想などの記事を容易に提示することができるようにすることもできる。
【００６４】
次に、ステップＳ１におけるコンテンツ情報入力画面表示処理の詳細を、図１０のフローチャートを参照して説明する。
【００６５】
ステップＳ２１において、制御部５２は、コンテンツ情報入力画面の表示指令が図示せぬ操作部から入力されるまで待機し、その指令が入力されたとき、ステップＳ２２に進む。
【００６６】
ステップＳ２２において、制御部５２は、ステップＳ２１で入力された指令がデフォルトのコンテンツ情報入力画面を表示する指令であったか否かを判定し、その指令であったと判定した場合、ステップＳ２３に進み、その旨を、コンテンツ情報入力画面生成部５５に通知する。コンテンツ情報入力画面生成部５５は、その通知により、図５に示したようなデフォルトのコンテンツ情報入力画面（各欄には何のデータも入力されていない入力画面）を制御部５２に供給する。制御部５２は、コンテンツ情報入力画面生成部５５から供給されたデフォルトのコンテンツ情報入力画面を表示部５８に表示する。
【００６７】
一方ステップＳ２１において、デフォルトのコンテンツ情報入力画面を表示する指令ではないと判定された場合、制御部５２は、メタデータを再利用したコンテンツ情報入力画面を表示する指令であると判定し、ステップＳ２４に進む。
【００６８】
ステップＳ２４において、制御部５２は、ここで再利用するメタデータが、図４のステップＳ９で作成したコンテンツ紹介画面で利用したメタデータ（自分が作成したメタデータ）であるか否かを判定し、そのメタデータであると判定した場合、ステップＳ２５に進む。
【００６９】
例えば表示部５８に表示されている、図７に示した、ステップＳ９で作成されたコンテンツ紹介画面の利用ボタンＢ２が操作されると、制御部５２は、いま表示されているコンテンツ紹介画面のメタデータを再利用するコンテンツ情報入力画面の表示指令が入力されたと判定し、ステップＳ２１、ステップＳ２２、およびステップＳ２４を介して、ステップＳ２５に進む。
【００７０】
なおコンテンツ紹介画面の利用ボタンＢ２を操作する他、図１１に示すような画面から番組名を入力して、利用ボタンＢ２を操作することで、その番組名を含むコンテンツ紹介画面を生成する際に利用されたメタデータを再利用するコンテンツ情報入力画面の表示指令を入力することもできる。
【００７１】
ステップＳ２５において、コンテンツ情報入力画面生成部５５は、再利用されるメタデータをメタデータ記憶部５６から読み出す。
【００７２】
次にステップＳ２６において、コンテンツ情報入力画面生成部５５は、ステップＳ２５で読み出したメタデータを利用して、コンテンツ情報入力画面を生成し、制御部５２に供給する。制御部５２は、コンテンツ情報入力画面生成部５５から供給されたコンテンツ情報入力画面を、表示部５８に表示する。
【００７３】
その結果、例えば図６に示すような所定のコンテンツ情報がすでに入力されているコンテンツ情報入力画面が表示される。端末１のユーザは、そのコンテンツ情報入力画面を利用してコンテンツ情報の入力を行う。
【００７４】
ステップＳ２４で、再利用するメタデータは、ステップＳ９で生成したコンテンツ紹介画面を生成する際に利用したメタデータ（自分で生成したメタデータ）ではないと判定された場合、ステップＳ２７に進む。
【００７５】
例えばコンテンツ情報を集計しているサイトで生成されたコンテンツ紹介画面が表示部５８に表示されている状態で、その利用ボタンが操作されたとき、ステップＳ２１、ステップＳ２２、およびステップＳ２４を介して、ステップＳ２７に進む。
【００７６】
ステップＳ２７において、コンテンツ情報入力画面生成部５５は、メタデータ取得部５７を介して、他の装置で生成されたメタデータを取得するとともに、取得したメタデータが、コンテンツ情報入力画面の生成に利用できるものであるか否かを判定し、利用できるものであると判定した場合、ステップＳ２８に進む。
【００７７】
ステップＳ２８において、コンテンツ情報入力画面生成部５５は、取得したメタデータを利用したコンテンツ情報入力画面を生成して表示する。すなわち所定のコンテンツ情報がすでに入力されたコンテンツ情報入力画面が生成されて表示される。
【００７８】
ステップＳ２３、ステップＳ２６、またはステップＳ２８において、コンテンツ情報入力画面が表示されたとき、図４のステップＳ２に進む。
【００７９】
以上のように、コンテンツ紹介画面を生成する際に利用されたメタデータを利用してコンテンツ情報入力画面を生成することができるので、所定のコンテンツ情報が予め入力されたコンテンツ情報入力画面をユーザに提供することができる。その結果、コンテンツ情報入力の効率化を図ることができる。
【００８０】
なお以上においては、テレビジョン放送番組を例として説明したが、ラジオ放送、映画音楽配信サービスにおいても適用することができる。
【００８１】
また、本明細書において、記録媒体により提供されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【００８２】
【図１】本発明を提供した端末の利用例を示す図である。
【図２】図１の端末の構成例を示すブロック図である。
【図３】図１の端末の機能的構成例を示すブロック図である。
【図４】コンテンツ紹介画面生成処理を説明するフローチャートである。
【図５】コンテンツ情報入力画面の例を示す図である。
【図６】コンテンツ情報が入力されたコンテンツ情報入力画面の例を示す図である。
【図７】コンテンツ紹介画面の例を示す図である。
【図８】メタデータの例を示す図である。
【図９】コンテンツ紹介画面の他の例を示す図である。
【図１０】図４のステップＳ１のコンテンツ情報入力画面表示処理を説明するフローチャートである。
【図１１】再利用するメタデータを指定するための画面の例を示す図である。
【符号の説明】
【００８３】
１  端末，  ２  ネットワーク，  ３  検索サーバ，  ４  端末，  ５１  コンテンツ情報入力部，  ５２  制御部，  ５３  リンク先データベース，  ５４  ネットワークＩ／Ｆ部，  ５５  コンテンツ情報入力画面生成部，  ５６  メタデータ記憶部，  ５７  メタデータ取得部，  ５８  表示部，  ７１  リンク先取得部，  ７２  コンテンツ紹介画面生成部，  ７３  出力制御部
【図１】
2005346169.tif 000003
【図２】
2005346169.tif 000004
【図３】
2005346169.tif 000005
【図４】
2005346169.tif 000006
【図５】
2005346169.tif 000007
【図６】
2005346169.tif 000008
【図７】
2005346169.tif 000009
【図８】
2005346169.tif 000010
【図９】
2005346169.tif 000011
【図１０】
2005346169.tif 000012
【図１１】
2005346169.tif 000013